(57)【要約】【課題】低コストで製造可能な、レベリング材の打設目標高さを表示するための治具を提供する。【解決手段】本発明はレベリング材の打設目標高さを表示する治具１である。治具１は、打設目標高さを示す表示部を有した樹脂製のネジ２と、ネジ２が挿入される中空部を有し、少なくとも一部が打設後の未硬化のコンクリートに挿入される樹脂製の本体部３と、ネジ２と螺合し、ネジ２を上下方向に回転移動させるための樹脂製の螺合部４３と、を備える。【選択図】図１
2019190028.tif 000002
【特許請求の範囲】
【請求項１】
レベリング材の打設目標高さを表示する治具であって、
前記打設目標高さを示す表示部を有した樹脂製のネジと、
前記ネジが挿入される中空部を有し、少なくとも一部が打設後の未硬化のコンクリートに挿入される樹脂製の本体部と、
前記ネジと螺合し、前記ネジを上下方向に回転移動させるための樹脂製の螺合部と、
を備えることを特徴とする治具。
【請求項２】
前記本体部は、前記中空部が形成され且つ前記コンクリートに挿入される挿入予定部と、前記挿入予定部よりも上方に形成され、前記コンクリートに挿入されない非挿入部とを備え、
前記非挿入部は、前記中空部よりも外側に位置し且つ前記挿入予定部から上方に延びる壁部を備える、
請求項１に記載の治具。
【請求項３】
少なくとも一部が前記壁部の内側空間に着脱可能に挿入される樹脂製の中間部材をさらに備え、
前記中間部材は、前記ネジが挿入され且つ前記中空部と連通するネジ挿入穴を有しており、
前記螺合部は、前記ネジ挿入穴の内面に形成されている、
請求項２に記載の治具。
【請求項４】
前記壁部の内面には、前記中間部材のうち前記壁部の内側空間に挿入される部分の上端角部に係合する係合突起が形成されている、
請求項３に記載の治具。
【請求項５】
前記壁部は平面視で非真円形状に形成されており、
前記中間部材は、前記壁部と相補的形状で且つ前記壁部の内面に嵌合する非真円形状部を有している、
請求項３又は４に記載の治具。
【請求項６】
前記中間部材は樹脂製の柔軟な接続部によって前記本体部と接続されている、
請求項３から５のいずれか１項に記載の治具。
【請求項７】
前記壁部は、当該壁部の内側空間が拡大可能であるよう構成されている、
請求項２から６のいずれか１項に記載の治具。
【請求項８】
前記壁部には、当該壁部を複数の壁部に分割するスリットが形成されている、
請求項２から７のいずれか１項に記載の治具。
【請求項９】
前記螺合部は、前記中空部の内面又は前記壁部の内面に形成されている、
請求項１又は２に記載の治具。
【請求項１０】
前記螺合部は突起部である、
請求項１から９のいずれか１項に記載の治具。
【請求項１１】
前記ネジの頭部は、着色物質に対する親和性を有する、
請求項１から１０のいずれか１項に記載の治具。
【発明の詳細な説明】
【技術分野】
【０００１】
本発明は、コンクリートの天端面に流し込むレベリング材の打設目標高さを表示する治具に関する。
【背景技術】
【０００２】
コンクリート基礎を施工する際には、コンクリート基礎の天端面を平坦化するため、コンクリートの天端面にレベリング材を流し込む。レベリング材を流し込む前には、あらかじめレベリング材の打設目標高さを示す目印を設置しておく必要がある。このような目印としては、例えば特許文献１の天端出し補助具用の進退目印が使用されている。
【０００３】
特許文献１の天端出し補助具用の進退目印１０は、補助具本体２０に形成した取付穴２１に挿入される棒体部１１と、この棒体部１１の外周の一部に形成されたネジ山部１２と、棒体部１１の上端に形成した目印１３とを備えている。この進退目印１０では、まず、補助具本体２０を未硬化のコンクリート内に挿入する。次に、棒体部１１を上下方向に移動させて目印１３の位置をレベリング材の打設目標高さに合わせる。その後、目印１３の位置までレベリング材を流し込む。
【先行技術文献】
【特許文献】
【０００４】
【特許文献１】特開２０１５−０３０９９５号公報
【発明の概要】
【発明が解決しようとする課題】
【０００５】
ところで、ネジ山部が形成された棒体部は通常金属材料から作製されている。しかし、金属材料製の棒体部は製造コストが高いという問題がある。
【０００６】
本発明は、低コストで製造可能な、レベリング材の打設目標高さを表示するための治具を提供することを目的とする。
【課題を解決するための手段】
【０００７】
本発明は下記に掲げる態様の発明を提供する。
（項目１）
レベリング材の打設目標高さを表示する治具であって、
前記打設目標高さを示す表示部を有した樹脂製のネジと、
前記ネジが挿入される中空部を有し、少なくとも一部が打設後の未硬化のコンクリートに挿入される樹脂製の本体部と、
前記ネジと螺合し、前記ネジを上下方向に回転移動させるための樹脂製の螺合部と、
を備えることを特徴とする治具。
（項目２）
前記本体部は、前記中空部が形成され且つ前記コンクリートに挿入される挿入予定部と、前記挿入予定部よりも上方に形成され、前記コンクリートに挿入されない非挿入部とを備え、
前記非挿入部は、前記中空部よりも外側に位置し且つ前記挿入予定部から上方に延びる壁部を備える、
項目１に記載の治具。
（項目３）
少なくとも一部が前記壁部の内側空間に着脱可能に挿入される樹脂製の中間部材をさらに備え、
前記中間部材は、前記ネジが挿入され且つ前記中空部と連通するネジ挿入穴を有しており、
前記螺合部は、前記ネジ挿入穴の内面に形成されている、
項目２に記載の治具。
（項目４）
前記壁部の内面には、前記中間部材のうち前記壁部の内側空間に挿入される部分の上端角部に係合する係合突起が形成されている、
項目３に記載の治具。
（項目５）
前記壁部は平面視で非真円形状に形成されており、
前記中間部材は、前記壁部と相補的形状で且つ前記壁部の内面に嵌合する非真円形状部を有している、
項目３又は４に記載の治具。
（項目６）
前記中間部材は樹脂製の柔軟な接続部によって前記本体部と接続されている、
項目３から５のいずれか１項に記載の治具。
（項目７）
前記壁部は、当該壁部の内側空間が拡大可能であるよう構成されている、
項目２から６のいずれか１項に記載の治具。
（項目８）
前記壁部には、当該壁部を複数の壁部に分割するスリットが形成されている、
項目２から７のいずれか１項に記載の治具。
（項目９）
前記螺合部は、前記中空部の内面又は前記壁部の内面に形成されている、
項目１又は２に記載の治具。
（項目１０）
前記螺合部は突起部である、
項目１から９のいずれか１項に記載の治具。
（項目１２）
前記ネジの頭部は、着色物質に対する親和性を有する、
項目１から１０のいずれか１項に記載の治具。
【発明の効果】
【０００８】
本発明の治具は、その構成部品がすべて樹脂製であるため、低コストで製造することができる。
【図面の簡単な説明】
【０００９】
【図１】（ａ）治具の分解斜視図、（ｂ）治具の組立斜視図である。
【図２】図１（ｂ）のＩＩ−ＩＩ線断面図である。
【図３】（ａ）本体部の平面図、（ｂ）（ａ）のＩＩＩｂ−ＩＩＩｂ線断面図である。
【図４】（ａ）中間部材の平面図、（ｂ）（ａ）のＩＶｂ−ＩＶｂ線断面図である。
【図５】治具の使用状態を表す図である。
【図６】治具の変形例の斜視図である。
【図７】（ａ）治具の変形例の図であり、（ｂ）（ａ）の断面図である。
【発明を実施するための形態】
【００１０】
本発明について図面を参照しながら説明する。なお、以下で説明する実施形態は、本発明の好ましい一具体例を示すものである。本発明は、以下の実施形態に限定されず、その主旨を逸脱しない範囲で適宜変更可能である。
【００１１】
［治具の構成］
図１（ａ）は治具１の分解斜視図、図１（ｂ）は治具１の組立斜視図である。図２は図１（ｂ）のＩＩ−ＩＩ線断面図である。以下では、図１（ａ）の上下方向を治具１の上下方向として説明する。治具１はコンクリート基礎等のコンクリート構造物を施工する際に、打設後のコンクリートの天端面に流し込まれるレベリング材の打設目標高さを表示するために使用される。治具１は、樹脂製のネジ２と、樹脂製の本体部３と、樹脂製の中間部材４とを備える。中間部材４は本体部３に着脱可能に装着される。さらに本実施形態では、中間部材４と本体部３とは何ら他の部材を介して繋がっていないため、中間部材４が本体部３から取り外された状態において、中間部材４と本体部３とは完全に分離される。ネジ２は中間部材４及び本体部３に挿入され、中間部材４及び本体部３に対して上下方向に回転移動する。樹脂としては例えばポリプロピレンを使用することができる。以下に、治具１の各構成要素の詳細を説明する。
【００１２】
図１及び図２を参照してネジ２について説明する。ネジ２は、雄ネジが形成された長尺な棒状のネジ本体２１と、ネジ本体２１の上端に一体的に形成された頭部２２とから構成されている。頭部２２の上面には、ネジ２を回転させるための工具が係合する工具係合穴２３が形成されている。頭部２２の上端は、レベリング材の打設目標高さを表示する目印として機能する。すわなち、レベリング材を打設する際には、まず、頭部２２の上端位置をレベリング材の打設目標高さに設定し、その後、頭部２２の上端位置までレベリング材を流し込む（図５参照）。
【００１３】
図１から図３を参照して本体部３について説明する。図３（ａ）は本体部３の平面図、図３（ｂ）は図３（ａ）のＩＩＩｂ−ＩＩＩｂ線断面図である。本体部３は、硬化前のコンクリートに挿入されることになる挿入予定部３１と、コンクリートに挿入されず、コンクリートから突出することになる非挿入部３２とを備える。本体部３は、挿入予定部３１と非挿入部３２とが一体的に接続された一体成型品であることが好ましい。
【００１４】
挿入予定部３１は、第一部分３１１と、第一部分３１１の上端に一体的に形成された第二部分３１２とから構成されている。第一部分３１１は、略中央に形成された有底の膨出部と、膨出部の両端からそれぞれ延出する薄板状の羽根部とから構成されている。膨出部はネジ２が挿入される中空部３１３を画成している。中空部３１３は、第二部分３１２の略中央を貫通して膨出部内を上下方向に延びており、平面視で略真円形状である。第二部分３１２は、平面視で略楕円形状の薄板状であり、水平方向に延び、第一部分３１１よりも幅広に形成されている。第二部分３１２の周縁には対称位置に二つの切欠き部３１４が形成されている。第二部分３１２は、本体部３をコンクリート内に挿入する際の挿入目標高さを示す目印として機能する。すなわち、本体部３は、第二部分３１２の上面にコンクリートが被る位置までコンクリート内に挿入される（図５参照）。
【００１５】
非挿入部３２は、挿入予定部３１の第二部分３１２から上方に延びる、平面視で矩形状の壁部３２１を備える。壁部３２１は中空部３１３を囲むようにして、中空部３１３よりも外側の位置から上方に延びている。壁部３２１には、壁部３２１の上端から下端近傍まで延びる二つのスリット３２２が対称位置に形成されており、この二つのスリット３２２により壁部３２１は二つの壁部３２１ａ、３２１ｂに分離されている。各壁部３２１ａ、３２１ｂは樹脂弾性を有するため、それぞれ外方へ弾性変形することができるようになっている。各壁部３２１ａ、３２１ｂが外方へ弾性変形することにより、壁部３２１の内側空間は拡大される。壁部３２１ａ、３２１ｂの上部内面には、内方へ突出する突起部３２３がそれぞれ形成されている。壁部３２１ａの突起部３２３と壁部３２１ｂの突起部３２３とは対称位置に存在している。
【００１６】
図１、図２及び図４を参照して中間部材４について説明する。図４（ａ）は中間部材４の平面図、図４（ｂ）は図４（ａ）のＩＶｂ−ＩＶｂ線断面図である。中間部材４は、円筒状の第一部分４１と、第一部分４１の軸方向略中間位置の外側に一体的に形成され、平面視で矩形状の第二部分４２とから構成されている。第一部分４１の中心軸は、本体部３の中空部３１３の中心軸と略同じである。
【００１７】
第一部分４１のうち、第二部分４２よりも下方の部位は中空部３１３内に挿入される。第一部分４１はネジ挿入穴４１１を有しており、中間部材４が本体部３に装着されたとき、ネジ挿入穴４１１は本体部３の中空部３１３と連通する。ネジ挿入穴４１１の内面には、第一部分４１の軸方向略中間位置に、ネジ２と螺合する螺合部４３が一体的に形成されている。螺合部４３は、本実施形態ではネジ挿入穴４１１の内面から突出する突起部である。ネジ２はネジ挿入穴４１１内に挿入され且つ螺合部４３と螺合することにより、ネジ挿入穴４１１内において上下方向に回転移動することができる。
【００１８】
第二部分４２は、壁部３２１と相補的な矩形状であり、壁部３２１の内側空間に挿入され、壁部３２１の内面と嵌合する。第二部分４２の上下方向長さは壁部３２１の上下方向長さよりも小さくなっており、第二部分４２はその高さ方向において壁部３２１の内側空間内に完全に収容される。第二部分４２が壁部３２１の内側空間に収容されたとき、突起部３２３は第二部分４２の上端角部上に位置する。
【００１９】
［治具の使用方法］
図５を参照して、治具１の使用方法について説明する。図５は、治具１の使用方法を示す図であり、本体部３の挿入予定部３１がコンクリートＣ内に挿入され、ネジ２の頭部２２の上端までレベリング材Ｌが流し込まれた状態を表している。
【００２０】
コンクリートＣを一対の型枠間に打設した後、コンクリートＣが硬化する前に、本体部３を、挿入予定部３１の第二部分３１２の上面にコンクリートＣが被さる位置までコンクリートＣ内に挿入する。
【００２１】
コンクリートＣが未硬化（半硬化）の状態で又はコンクリートＣが硬化した後、ネジ２を回転させ、ネジ２の頭部２２の上端をレベリング材Ｌの打設目標高さに合わせる。
【００２２】
ネジ２の頭部２２の上端までレベリング材Ｌを流し込む。
【００２３】
［作用効果］
治具１の作用効果について説明する。
【００２４】
治具１のネジ２、本体部３及び中間部材４はいずれも樹脂製であるため、治具１を低コストで製造することができる。
【００２５】
挿入予定部３１の第一部分３１１は薄板状の羽根部を備えているため、コンクリート内において本体部３が回転しようとする際の抵抗が大きくなる。これにより、コンクリートが未硬化の状態でネジ２を回転させた際に、本体部３がネジ２と共に共回りしてしまうことを防止することができ、ネジ２のみを回転させることができる。
【００２６】
挿入予定部３１の第二部分３１２には切欠き部３１４が形成されているため、挿入予定部３１をコンクリート内に挿入したときに、切欠き部３１４内にコンクリートが侵入する。切欠き部３１４内に侵入したコンクリートは、本体部３が回転しようとする際の抵抗になる。こうして、コンクリートが未硬化の状態でネジ２を回転させた際に、本体部３が共回りすることを一層防止できる。
【００２７】
コンクリート構造物を施工する際には、レベリング材の目標厚み等に合わせて、リード（一回転当たりの移動量）が大きいネジ２又は小さいネジ２を使用したい場合がある。例えば、レベリング材の打設目標高さを高精度で調節する必要があるコンクリート構造物を施工する際には、リードが小さいネジ２と、そのネジ２に合致する厚みの螺合部４３を有した中間部材４とが使用される。治具１では、中間部材４が本体部３と完全に分離可能であることにより、ネジ２及び中間部材４を、所望のリードを有したネジ２及び中間部材４に簡単に交換することができる。一方、本体部３は交換する必要がなくそのまま共通して使用できるため、部品の共通化により、製造コストを抑えることができる。
【００２８】
壁部３２１は平面視で矩形状であり、中間部材４の第二部分４２は壁部３２１と相補的形状で且つ壁部３２１の内面に嵌合する。これにより、ネジ２を回転させた際に、中間部材４が壁部３２１の内側空間内でネジ２と共に共回りしてしまうことを防止することができ、ネジ２のみを回転させることができるようになる。
【００２９】
壁部３２１ａの内面に設けられた突起部３２３が中間部材４の第二部分４２の上端角部に係合することにより、中間部材４を壁部３２１の内側空間から簡単には引き抜くことができないようになっている。これにより、例えばネジ２を上方へ回転移動させる際に、中間部材４が壁部３２１の内側空間から抜けてしまうことを防止することができる。一方で、二つの壁部３２１ａ、３２１ｂは外方へ弾性変形可能であるため、二つの壁部３２１ａ、３２１ｂの一方又は両方を外方へ弾性変形させることで壁部３２１の内側空間を広げることができるようになっている。これにより、壁部３２１ａ、３２１ｂの内面に突起部３２３が形成されていたとしても、壁部３２１の内側空間を広げることで中間部材４を壁部３２１の内側空間に挿入することができると共に、中間部材４を壁部３２１の内側空間から取り出すことができる。
【００３０】
ネジ２の高さ調節が終了した際には、インキなどの着色物質によって、ネジ２の頭部２２の上面に高さ調節済みであることを示す印が付けられることがある。本発明の治具１では、ネジ２は樹脂製であるため着色物質との親和性が高く、着色物質による印が付きやすくなっている。
【００３１】
［変形例］
以下では、治具１の変形例について説明する。
【００３２】
（１）図６に示すように、治具１は中間部材４と挿入予定部３１の第二部分３１２とを接続する柔軟な接続部５を備えていてもよい。この変形例では、中間部材４は本体部３の壁部３２１の内側空間内に着脱可能であるが、中間部材４が壁部３２１の内側空間から取り外された状態において、中間部材４は接続部５によって本体部３とは分離できないようになっている。接続部５の両端はそれぞれ中間部材４及び第二部分３１２に一体的に接続されている。接続部５は例えば樹脂製の紐状部材から構成することができる。中間部材４と第二部分３１２とが接続部５によって接続されていることにより、中間部材４と本体部３とがバラバラになることがなく、中間部材４の紛失を防ぐことができる。なお、接続部５は、壁部３２１と中間部材４とを接続するよう構成されていてもよい。
【００３３】
（２）壁部３２１及び中間部材４の第二部分４２は平面視で矩形状に限定されず、楕円形や六角形といった多角形などの非真円形状であってもよい。このような形状であっても、ネジ２を回転させた際に、中間部材４が壁部３２１の内側空間内でネジ２と共に共回りしてしまうことを防止することができる。なお、壁部３２１の内面と中間部材４の第二部分４２の外面との間の摩擦力によって中間部材４の共回りを防止できるのであれば、壁部３２１及び中間部材４の第二部分４２は真円形状であってもよい。
【００３４】
（３）螺合部４３は、ネジ挿入穴４１１の内面に形成された雌ネジであってもよい。
【００３５】
（４）図７（ａ）及び（ｂ）に示すように、治具１は中間部材４を備えていなくてもよい。この場合、壁部３２１を平面視で真円形状に形成し、螺合部４３は真円形状に形成した壁部３２１の内面又は本体部３の中空部３１３の内面に形成することができる（図７（ａ）及び（ｂ）は壁部３２１の内面に螺合部４３が形成されている実施形態を示している）。
【００３６】
（５）ネジ２の頭部２２の上面は工具係合穴２３を有しておらず、平坦な面であってもよい。ネジ２の頭部２２の上面が平坦な面であることにより、着色物質による印が付着し易くなる。ネジ２の頭部２２の上面に工具係合穴２３が形成されていない場合、ネジ２を回転させやすくするために、頭部２２の形状は楕円形や六角形といった多角形などの非真円形状であることが好ましい。
【符号の説明】
【００３７】
１        治具
２        ネジ
２２      頭部
３        本体部
３１      挿入予定部
３１３    中空部
３２      非挿入部
３２１    壁部
３２２    スリット
３２３    突起部（係合突起）
４        中間部材
４１１    ネジ挿入穴
４２      第二部分（非真円形状部）
４３      螺合部
５        接続部
【図１】
2019190028.tif 000003
【図２】
2019190028.tif 000004
【図３】
2019190028.tif 000005
【図４】
2019190028.tif 000006
【図５】
2019190028.tif 000007
【図６】
2019190028.tif 000008
【図７】
2019190028.tif 000009